(57)【特許請求の範囲】
【請求項１】
第１読取手段、
該第１読取手段の下方に配置され、前記第１読取手段による読取位置の搬送方向下流において読取を行う第２読取手段、
前記第１読取手段の読取位置から前記第２読取手段の読取位置へと搬送される原稿の搬送路、
第１スイッチバック部、
第２スイッチバック部、
読取前の原稿を収納する給紙トレイ、
読取後の原稿を収納する排紙トレイ及び、
制御手段
を備え、
前記第１スイッチバック部と前記第２スイッチバック部とが前記搬送路の両側に配置された画像読取装置であって、
片面読取においては、前記制御手段は、前記第１、第２読取手段を原稿毎に交互に用いて複数枚の原稿の読取を行うとともに、前記第１読取手段による読取を行うことなく前記第２読取手段による読取位置まで原稿を搬送する際に、読取時の搬送速度よりも高い搬送速度で原稿を搬送する制御を行い、
両面読取においては、前記制御手段は、前記給紙トレイから搬送された原稿の第１面を前記第１読取手段が読み取り、
第１面読取後の原稿を、前記搬送路を経て前記第１スイッチバック部に搬送し、
前記第１スイッチバック部で搬送方向を反転した後、前記第１スイッチバック部から前記第２読取手段の前記読取位置に原稿を搬送して、原稿の第２面を読み取り、
第２面読取後の原稿を前記第２スイッチバック部に搬送し、
前記第２スイッチバック部で搬送方向を反転して前記第２スイッチバック部から前記排紙トレイに原稿を搬送し排出するように制御することを特徴とする画像読取装置。
【請求項２】
前記搬送路は円形であり、前記第１、第２読取手段は、前記搬送路が形成する円の中心を挟んだ対向位置において読取を行うことを特徴とする請求項１に記載の画像読取装置。
【請求項３】
前記搬送路を通すことなく原稿を搬送して前記第１読取手段による読取を行うほぼ直線状の搬送路を有することを特徴とする請求項１又は２に記載の画像読取装置。
【請求項４】
請求項１〜３のいずれか１項に記載の画像読取装置及び記録材の表裏を反転する反転搬送路を有し、両面画像形成が可能であり、前記画像読取装置が生成する画像データに基づいて記録材に画像を形成する画像形成装置を有することを特徴とする複写装置。
【発明の詳細な説明】
【技術分野】
【０００１】
本発明は画像読取装置及び画像読取装置を有する複写装置に関する。
【背景技術】
【０００２】
複写装置、ファクシミリ等において広く用いられている画像読取装置は、原稿の搬送路に臨んで１個の読取手段を配置し、複数枚の原稿を連続して読取位置に通すことにより、複数枚の原稿の連続読取を行っている。
【０００３】
片面読取においては、複数枚の原稿を単純に連続搬送することにより、連続読取が行われる。また、両面読取においては、スイッチバック部を用いて読取位置に１枚の原稿を２度通すことにより、表面と裏面の読取を行っている。両面読取においては、読取後の原稿の頁順を揃えるために前記スイッチバック部を２度通すことが行われる。このように、両面読取機能を有する画像読取装置を原稿搬送の観点で見るとき、裏面読取と頁揃えのために２度表裏反転する搬送が行われる。
【０００４】
その結果、両面読取機能を有する画像読取装置の原稿搬送が複雑になって、搬送路が長くなり、１枚の原稿読取に要する時間が長くなる。このために読取速度を上げることが困難になる。
【０００５】
両面読取の速度を上げるために、特許文献１、２のように、２個の読取手段を搬送路の両側に配置して、複数枚の原稿を単純に連続搬送することにより両面読取を行う画像読取装置が提案されている。
【０００６】
特許文献１、２では２個の読取手段を有する読取装置において、２個の読取手段を用いて、本来の両面読取の他の付加的な機能（特許文献１では読取手段の一つが故障した場合のリカバリ機能、特許文献２では読取を多様化させる機能）を実現することが提案されている。
【特許文献１】特開２００２−３５４１９２号公報
【特許文献２】特開２００３−１２５１６８号公報
【発明の開示】
【発明が解決しようとする課題】
【０００７】
電子写真画像形成装置におけるように、画像形成装置の高性能化に伴って、画像読取装置の高速化に対するニーズが高まっている。即ち、特許文献１，２のように両面読取における読取速度を上げるのみでなく、片面読取における読取速度をも上げることが必要になってきている。
【０００８】
片面読取における読取速度の向上には、両面読取の場合のように原稿搬送路の工夫によって解決出来る部分はきわめて少なく、読取手段の性能向上等による部分が多いとされてきた。
【０００９】
例えば、原稿の搬送速度を上げることによる読取速度の向上は、解像度の低下を伴うために限界がある。
【００１０】
特許文献１、２においても、両面読取における読取速度を向上してはいるが、片面読取における読取速度は、前記背景において説明した一般的な原稿搬送装置と何ら変わるところがない。
【００１１】
本発明は、片面読取時に読取速度を向上することを目的としている。更に、両面読取における読取速度の向上をも目的としている。
【課題を解決するための手段】
【００１２】
前記目的は下記の発明により達成される。
１．第１読取手段、
該第１読取手段の下方に配置され、前記第１読取手段による読取位置の搬送方向下流において読取を行う第２読取手段、
前記第１読取手段の読取位置から前記第２読取手段の読取位置へと搬送される原稿の搬送路、
第１スイッチバック部、
第２スイッチバック部、
読取前の原稿を収納する給紙トレイ、
読取後の原稿を収納する排紙トレイ及び、
制御手段
を備え、
前記第１スイッチバック部と前記第２スイッチバック部とが前記搬送路の両側に配置された画像読取装置であって、
片面読取においては、前記制御手段は、前記第１、第２読取手段を原稿毎に交互に用いて複数枚の原稿の読取を行うとともに、前記第１読取手段による読取を行うことなく前記第２読取手段による読取位置まで原稿を搬送する際に、読取時の搬送速度よりも高い搬送速度で原稿を搬送する制御を行い、
両面読取においては、前記制御手段は、前記給紙トレイから搬送された原稿の第１面を前記第１読取手段が読み取り、
第１面読取後の原稿を、前記搬送路を経て前記第１スイッチバック部に搬送し、
前記第１スイッチバック部で搬送方向を反転した後、前記第１スイッチバック部から前記第２読取手段の前記読取位置に原稿を搬送して、原稿の第２面を読み取り、
第２面読取後の原稿を前記第２スイッチバック部に搬送し、
前記第２スイッチバック部で搬送方向を反転して前記第２スイッチバック部から前記排紙トレイに原稿を搬送し排出するように制御することを特徴とする画像読取装置。
２．前記搬送路は円形であり、前記第１、第２読取手段は、前記搬送路が形成する円の中心を挟んだ対向位置において読取を行うことを特徴とする前記１に記載の画像読取装置。
３．前記搬送路を通すことなく原稿を搬送して前記第１読取手段による読取を行うほぼ直線状の搬送路を有することを特徴とする前記１又は２に記載の画像読取装置。
４．前記１〜３のいずれか１項に記載の画像読取装置及び記録材の表裏を反転する反転搬送路を有し、両面画像形成が可能であり、前記画像読取装置が生成する画像データに基づいて記録材に画像を形成する画像形成装置を有することを特徴とする複写装置。
【発明の効果】
【００１３】
請求項１、３〜８のいずれかの発明により、読取センサの処理速度による限界等による読取速度の限界を超えて読取速度を上げることが可能となり、高速の画像読取装置が実現される。
【００１４】
請求項２〜８の発明により、広く普及している画像読取装置、即ち、１個の読取センサを用い、原稿を反転搬送することにより、両面読取を行う画像読取装置に比較して格段に高い速度の原稿読取が可能となる。
【００１５】
特に、反転搬送路を用いて両面画像形成を行う画像形成装置との組み合わせで用いられる場合に、画像形成装置の画像形成速度に関する性能を最大限に生かすことが可能となって、高速の両面複写を行うことが可能となる。
【００１６】
請求項９の発明により、反転搬送路を用いて両面画像形成を行う画像形成装置を有する複写装置における両面画像形成速度が向上する。
【発明を実施するための最良の形態】
【００１７】
以下に本発明実施の形態に基づいて本発明を説明するが、本発明は該実施の形態に限られない。
＜複写装置＞
図１は本発明の実施の形態に係る複写装置の概略を示す。
【００１８】
複写装置は、画像読取装置Ａ及び画像形成装置Ｂを備えている。
【００１９】
画像読取装置Ａは後に説明するように、給紙部に積載された原稿を１枚ずつ連続搬送して、片面読取及び両面読取を行い画像データを生成する。
【００２０】
画像形成装置Ｂにおいて、１は感光体であり、感光体としては有機光導電体を樹脂に分散した感光層を有する有機感光体が環境性及びコストの観点から好ましいが、これに限られることなく、任意の公知の感光体を用いることができる。
【００２１】
なお、感光体１としては図示のドラム状の感光体に限られず、ベルト状の感光体であってもよい。２は感光体１を帯電し、感光体１上に一様な電位を形成する帯電装置である。帯電装置２としては、制御グリッドと放電電極を有するスコロトロン帯電器や電圧を印加したローラを用いた接触帯電方式の帯電器が好ましい。
【００２２】
３は感光体１を露光する露光装置である。露光装置としては、レーザダイオードを光源とし、ポリゴンミラー、レンズ及びミラーで構成される走査光学系を有する走査露光装置や発光ダイオードアレイ及び結像性光学繊維を有する走査光学装置が好ましいがこれに限られることなく、任意の公知の露光装置を用いることができる。露光装置３は画像データに従って、感光体１をドット露光する。
【００２３】
４は現像装置であり、二成分現像剤又は一成分現像剤を収容し、感光体１上の静電潜像を現像し、感光体１上にトナー像を形成する。５は、コロナ帯電器からなる転写装置である。転写装置５は記録材Ｐａに対して、感光体１上のトナーと逆極性の帯電を行い、トナー像を記録材Ｐａに転移させる。６は、コロナ帯電器からなる分離装置であり、記録材Ｐａに対して交流コロナ帯電を行って、記録材Ｐａを除電し、感光体１から分離する。
【００２４】
７は定着装置、８はクリーニング装置、９は記録材Ｐａを収納する記録材収納部であり、トレイ又はカセットからなり、画像形成装置から引き出して記録材Ｐａを補給することができる。
【００２５】
帯電、露光、現像により感光体１上にトナー像を形成し、転写装置５により記録材Ｐａ上にトナー像を形成する。トナー像は定着装置７により定着される。転写後の感光体はクリーニング装置８によりクリーニングされる。
【００２６】
１０は記録材Ｐａの表裏を反転する反転搬送路１０ａを有し、裏面画像形成用の搬送路である。
＜画像読取装置の構成＞
図２は本発明の実施の形態に係る画像読取装置Ａの構成を示す。
【００２７】
画像読取装置Ａは、給紙部としての給紙トレイＴＲ１Ａ、ＴＲ１Ｂ、排紙部としての排紙トレイＴＲ２、ＴＲ３、第１読取手段としての読取センサＳＫ１、第２読取手段としての読取センサＳＫ２、ほぼ円形の円形搬送路ＣＨ、第１スイッチバック部ＳＷ１、第２スイッチバック部ＳＷ２、搬送路の切り替えを行う第１ゲートＧ１、第２ゲートＧ２及び第３ゲートＧ５並びにガイド部材Ｇ３、Ｇ４を有する。
【００２８】
原稿搬送路として、給紙トレイＴＲ１Ａ、ＴＲ１Ｂから読取センサＳＫ１の読取位置までの給紙路Ｐ１、読取センサＳＫ１の第１読取位置Ｒ１から第１スイッチバック部ＳＷ１の入り口までの搬送路Ｐ２、第１スイッチバック部ＳＷ１、第１スイッチバック部の出口から読取センサＳＫ２により第２読取位置Ｒ２を経て第２スイッチバック部ＳＷ２の入り口までの搬送路Ｐ３、第１スイッチバック部ＳＷ１をバイパスする搬送路Ｐ４、第２スイッチバック部ＳＷ２の出口から排紙路Ｐ７までの搬送路Ｐ５、第２スイッチバック部ＳＷ２をバイパスする搬送路Ｐ６、排紙トレイＴＲ２までの排紙路Ｐ７及び第１読取位置Ｒ１から排紙トレイＴＲ３までの搬送路Ｐ８を備えている。
【００２９】
ＳＥ１は第１読取位置Ｒ１を通過する原稿を検知する原稿センサ、ＳＥ２は第２読取位置Ｒ２を通過する原稿を検知する原稿センサである。
【００３０】
読取センサＳＫ１、読取センサＳＫ２には、縮小結像光学系及びＣＣＤセンサを有する読取センサや密着型のラインセンサからなるコンタクトセンサ等従来周知のものを用いることができる。第１、第２スイッチバック部ＳＷ１、ＳＷ２は搬入した原稿をスイッチバック搬送することにより表裏反転して搬出する搬送路で構成される。第１、第２ゲート及び第３ゲートＧ５は点線の位置と実線の位置とに切り替え制御される。案内部材Ｇ３、Ｇ４はペットフィルム等の弾性板部材又はバネで付勢された板部材からなり、常時実線の位置にあるが、原稿の通過時に押されて点線の位置に変位し一方向に案内する案内部材である。
【００３１】
搬送路Ｐ２、Ｐ４及びＰ６によりほぼ円形の搬送路ＣＨが形成され、原稿センサＳＫ１、ＳＫ２は搬送路ＣＨが形成する円のほぼ対向位置にある第１、第２読取位置Ｒ１、Ｒ２において画像読取を行う。
【００３２】
図２〜６を用いて、片面読取時及び両面読取時の原稿読取装置の作動を説明する。
＜片面読取＞
図３は片面読取時の原稿読取装置の作動を示す図、図４は本発明の実施の形態に係る原稿読取装置における制御系のブロック図、図５は片面読取時における原稿走行のタイミングチャートである。
【００３３】
図３ａに示すように給紙トレイＴＲ１Ａ又はＴＲ１Ｂから搬出された原稿Ｄ１が給紙路Ｐ１を走行して、第１読取位置Ｒ１において、読取センサＳＫ１による読取が行われる。
【００３４】
読取センサＳＫ１による読取後、原稿Ｄ１は搬送路Ｐ２、Ｐ４を走行して読取センサＳＫ２の第２読取位置Ｒ２へと走行する。片面読取においては、制御手段ＣＲは第１ゲートＧ１を図２の実線位置に設定して原稿Ｄ１を第１スイッチバック部ＳＷ１に通さない（図３ｂ）。
【００３５】
原稿Ｄ１は第２読取位置Ｒ２を通過するが、読取センサＳＫ２による原稿Ｄ１の読取は行われない。
【００３６】
図３では、このように読取作動をする読取センサを黒色で示し、読取作動をしない読取センサを白色で示している。また、図３では符号名が煩雑になるのを避けるために、読取センサ及び原稿の符号以外を省略し、図１の符号を参照して説明する。
【００３７】
原稿Ｄ１は搬送路Ｐ４を通過後、搬送路Ｐ６及び排紙路Ｐ７を通過して排紙トレイＴＲ２に排紙される（図３ｃ）。
【００３８】
制御手段ＣＲは片面読取時には、第２ゲートＧ２を実線の位置に設定して原稿を第２スイッチバック部ＳＷ２に通さない。
【００３９】
図３ｂに示すように、１枚目の原稿Ｄ１の後端が第１読取位置Ｒ１を通過したときに、２枚目の原稿Ｄ２が第１読取位置Ｒ１に到達する。
【００４０】
原稿Ｄ２が搬送路Ｐ２、Ｐ４を経て、第２読取位置Ｒ２を通過する際に原稿Ｄ２の読取センサＳＫ２による読取が行われる。
【００４１】
更に、図３ｃに示すように、原稿Ｄ２の後端が第１読取位置Ｒ１を通過すると、３枚目の原稿Ｄ３が第１読取位置Ｒ１に到達する。
【００４２】
原稿Ｄ３が第１読取位置Ｒ１を通過する際に、読取センサＳＫ１による原稿Ｄ３の読取が行われる。
【００４３】
同様にして、４枚目の原稿Ｄ４が原稿Ｄ３に続いて搬送され、原稿Ｄ４が読取センサＳＫ２により読み取られる（図３ｄ）。
【００４４】
このようにして、原稿Ｄ１、Ｄ２、Ｄ３・・・・・が連続して搬送され、奇数原稿Ｄ１、Ｄ３・・・が読取センサＳＫ１により読み取られ、偶数原稿Ｄ２、Ｄ４・・・が読取センサＳＫ２により読み取られる。
【００４５】
制御手段ＣＲは読取センサＳＫ１の読取位置Ｒ１における原稿の後端通過を見て次の原稿の搬送を開始するが、このような原稿搬送のタイミング制御は、第１読取位置Ｒ１の近傍に配置した原稿センサＳＥ１の原稿検知信号に基づいて行われる。
【００４６】
図５は片面読取時における原稿走行のタイミングチャートであり、信号ＳＤ１はセンサＳＥ１が原稿Ｄ１を検知した信号、信号ＳＤ２はセンサＳＥ１が原稿Ｄ２を検知した信号であり、以下センサＳＥ１は原稿Ｄｎを検知して信号ＳＤｎを出力する。
【００４７】
制御手段ＣＲは、読取センサＳＫ１による読取を行うことなく、原稿を第１読取位置Ｒ１から第２読取位置まで搬送する場合、即ち、搬送路Ｐ２、Ｐ４において偶数枚の原稿Ｄ２、Ｄ４・・・を搬送する際に、読取時の搬送速度Ｖ１よりも高い搬送速度Ｖ２で搬送する。
【００４８】
このような搬送制御は原稿センサＳＥ１の原稿検知信号に基づいて行われる。即ち、奇数枚の原稿Ｄ１、Ｄ３・・・の後端通過を原稿センサＳＥ１が検知してから原稿１枚を搬送する時間間隔において搬送速度をＶ１からＶ２に高くするという制御を制御手段ＣＲが行う。実際には、原稿１枚を搬送する時間に原稿間隔に相当する時間をプラスした時間、高速搬送とする制御を制御手段ＣＲが行う。
【００４９】
このような制御により、図５に示すように、原稿搬送時間が偶数原稿の搬送時間ＴＡが奇数原稿の搬送時間ＴＢよりも短縮される。
【００５０】
搬送時間ＴＢは読取センサＳＫ１、ＳＫ２の性能や、必要な読取解像度等により制限されるが、搬送時間ＴＡはこのような制限がなく短縮可能であるので、搬送速度を上げることが可能となる。
【００５１】
制御手段ＣＲは第１読取位置Ｒ１の近傍に配置された原稿センサＳＥ１の原稿検知信号に基づいて、搬送路Ｐ２、Ｐ４における原稿搬送の駆動手段であるモータＭを制御して図５に示す制御を行い、また、原稿センサＳＥ１の原稿先端検知信号に基づいて、読取センサＳＫ１による奇数枚原稿の読取及び原稿センサＳＥ２の原稿先端検知信号に基づいて読取センサＳＫ２による偶数枚原稿の読取を行う。
【００５２】
なお、厚紙等のように剛性の高い原稿の片面読取時は、ゲートＧ５が点線の位置に移動して、原稿を給紙路Ｐ１から搬送路Ｐ８へと直線搬送し、読取センサＳＫ１により画像を読み取り、排紙トレイＴＲ３に排出する。
＜両面読取＞
図６を参照して両面読取について説明する。図６は両面読取時の画像読取装置の作動を示す図である。以下の説明においても、読取センサ及び原稿の符号以外の符号については、図２を参照する。また、作動状態にある読取センサを黒色で示し、作動しない読取センサを白色で表す。
【００５３】
両面読取においては、制御手段ＣＲは第１、第２ゲートＧ１、Ｇ２を点線の位置に設定し、第１ゲートＧ１は第１スイッチバックＳＷ１に原稿をガイドし、第２ゲートＧ２は第２スイッチバック部ＳＷ２に原稿をガイドする。
【００５４】
図６ａに示すように、原稿Ｄ１が給紙トレイＴＲ１Ａ又はＴＲ１Ｂから給紙され、読取センサＳＫ１により第１面の読取が行われる。
【００５５】
次に、図６ｂに示すように、原稿Ｄ１は読取センサＳＫ１による読取後に搬送路Ｐ２を経て第１ゲートＧ１によりガイドされ、第１スイッチバック部ＳＷ１に進行する。
【００５６】
次に、図６ｃに示すように、原稿Ｄ１は第１スイッチバック部ＳＷ１において表裏反転された後に搬送路Ｐ３を走行して読取センサＳＫ２により原稿Ｄ１の第２面が読み取られる（図６ｃ、図６ｄ）。
【００５７】
次に、原稿Ｄ１は第２ゲートＧ２によりガイドされて第２スイッチバック部ＳＷ２へと進行するが、その際に２枚目の原稿Ｄ２が読取センサＳＫ１の読取位置Ｒ１を走行し、原稿Ｄ２の第１面の読取が開始される（図５ｅ）。
【００５８】
次に、原稿Ｄ１が第２スイッチバック部ＳＷ２を走行するとともに、原稿Ｄ２が第１ゲートＧ１でガイドされて第１スイッチバック部ＳＷ１に進行する（図６ｆ）。
【００５９】
次に、原稿Ｄ１が搬送路Ｐ５及び排紙路Ｐ７を経て排紙トレイＴＲ２に排出されるとともに、原稿Ｄ２が読取センサＳＫ２の読取位置Ｒ２を通過して原稿Ｄ２の第２面の読取が行われる（図６ｇ、図６ｈ）。
【００６０】
次に、原稿Ｄ２は第２ゲートＧ２によりガイドされて第２スイッチバック部ＳＷ２へと進行するが、その際に３枚目の原稿Ｄ３が読取センサＳＫ１の読取位置を走行し、原稿Ｄ３の第１面の読取が開始される（図６ｉ）。
【００６１】
前記に説明した原稿の連続搬送及び第１、第２面の連続読取が行われ、複数枚の原稿の連続した両面読取が行われる。
【００６２】
排紙部ＴＲ２においては下から、
原稿Ｄ１の第１面、原稿Ｄ１の第２面、原稿Ｄ２の第１面、原稿Ｄ２の第２面、原稿Ｄ３の第１面、原稿Ｄ３の第２面・・・の順となるように原稿は積載され、給紙部ＴＲ１Ａ、ＴＲ１Ｂにおける頁順序と同じになる。
【００６３】
従来の両面読取と本実施の形態における両面読取の場合の搬送路の違い及び搬送路の違いによる読取速度の違いを説明する。
【００６４】
図７は従来の両面読取における原稿搬送を示す。
【００６５】
従来の両面読取においては、図７ａ〜図７ｅに示すように、裏面読取と頁揃えのために、スイッチバック部ＳＷを２回原稿が走行するが、各スイッチバック走行の間に、円形の搬送路ＨＣを周回するために、２回円形搬送路ＨＣを周回する。そして、２枚目の原稿Ｄ２は１枚目の原稿Ｄ１が２回円形搬送路を周回した時点で搬送開始される。
【００６６】
図８は本実施の形態における両面読取の場合の原稿搬送を示す。本実施の形態においては、図８に示すようにスイッチバック部を２回通過するものの、円形搬送路ＰＣを１回周回するのみである。また、２枚目の原稿Ｄ２は１枚目の原稿Ｄ１が円形搬送路を半周した時点で搬送開始される。
【００６７】
従って、本実施の形態においては、搬送路が短縮され、且つ、連続読取における原稿間隔が短縮されて読取速度が従来に比較して格段に向上する。
【００６８】
画像形成装置Ｂにおいては、反転搬送路１０ａを用いた両面画像形成が行われる。このような両面画像形成装置に、原稿の搬送路の両側に読取センサを配置し、原稿を１回通る原稿搬送で両面読取を行う画像読取装置を結合した場合、画像形成装置の画像形成速度による制約から、画像読取装置の高速性能を十分に生かすことが出来ない。
【００６９】
前記に説明した本発明の画像読取装置を図１に示すように画像形成装置に結合することにより、片面複写における複写速度が向上するのみならず、両面複写仁尾希有複写速度も向上し、高効率の複写装置となる。
【図面の簡単な説明】
【００７０】
【図１】本発明の実施の形態に係る複写装置の全体図である。
【図２】本発明の実施の形態に係る画像読取装置の構造を示す図である。
【図３】片面読取時の原稿読取装置の作動を示す図である。
【図４】本発明の実施の形態に係る原稿読取装置における制御系のブロック図である。
【図５】片面読取時における原稿走行のタイミングチャートである。
【図６】両面読取時の画像読取装置を作動を示す図である。
【図７】従来の両面画像読取装置の作動を示す図である。
【図８】本実施の形態における両面読取の場合の作動を示す図である。
【符号の説明】
【００７１】
Ｇ１  第１ゲート
Ｇ２  第２ゲート
Ｐ１  給紙路
Ｐ２〜Ｐ６  搬送路
Ｐ７  排紙路
ＰＣ  円形搬送路
ＳＫ１、ＳＫ２  読取センサ
【図１】
0004609248.tif 000002
【図２】
0004609248.tif 000003
【図３】
0004609248.tif 000004
【図４】
0004609248.tif 000005
【図５】
0004609248.tif 000006
【図６】
0004609248.tif 000007
【図７】
0004609248.tif 000008
【図８】
0004609248.tif 000009